(57)【要約】【課題】低コスト且つ複数の電線を接続する作業の作業性に優れたジョイントコネクタを提供すること。【解決手段】複数の電線１０同士をバスバ４０を介して接続するジョイントコネクタ２０は、バスバ４０と、バスバ４０を収容するハウジング３０と、を備える。バスバ４０は、複数の電線１０から延びる複数の導体芯線１１を直接的に接合可能な接合面４１を有し、ハウジング３０は、接合面４１がハウジング３０の外部に露出するようにバスバ４０を収容する。ハウジング３０は、複数の電線１０を接合面４１上の所定位置に配置した状態にて複数の電線１０を保持する一又は複数の保持部３２，３３を有する。【選択図】図２
2020155255.tif 000002
【特許請求の範囲】
【請求項１】
複数の電線同士をバスバを介して接続するジョイントコネクタであって、
前記バスバと、前記バスバを収容するハウジングと、を備え、
前記バスバは、
前記複数の前記電線から延びる複数の導体芯線を直接的に接合可能な接合面を有し、
前記ハウジングは、
前記接合面が当該ハウジングの外部に露出するように前記バスバを収容する、
ジョイントコネクタ。
【請求項２】
請求項１に記載のジョイントコネクタにおいて、
前記ハウジングは、
前記複数の前記電線を前記接合面上の所定位置に配置した状態にて前記複数の前記電線を保持する一又は複数の保持部を有する、
ジョイントコネクタ。
【請求項３】
請求項１又は請求項２に記載のジョイントコネクタにおいて、
前記ハウジングは、
複数の前記バスバを電気的に分離した状態で収容するための区分壁を有する、
ジョイントコネクタ。
【請求項４】
複数の電線と、請求項１〜請求項３の何れか一項に記載のジョイントコネクタと、を備える、電線の接続構造であって、
前記複数の前記電線から延びる複数の導体芯線が、前記ジョイントコネクタに収容されたバスバが有する接合面に直接的に接合される、
電線の接続構造。 
【発明の詳細な説明】
【技術分野】
【０００１】
本発明は、複数の電線を接続するジョイントコネクタ、及び、そのジョイントコネクタを用いた電線の接続構造、に関する。
【背景技術】
【０００２】
従来から、自動車等に設けられた複数の電気・電子機器から延びる複数の電線を互いに接続する等の目的のため、ジョイントコネクタが提案されている。
【０００３】
例えば、従来のジョイントコネクタの一つ（以下「従来コネクタ」という。）は、相手側コネクタに属する複数の電線の端末に設けられた端子に嵌合接続するための複数のピン端子を備えたバスバと、バスバを収容するハウジングと、を備えている。複数のピン端子は、ハウジングへの収容方向の前方へ延びると共に、収容方向の後方において連結部を介して互いに繋がっている。即ち、複数のピン端子は、連結部を介して互いに導通可能となっている。更に、従来コネクタでは、バスバがハウジングに収容された後にバスバの抜け等を防ぐためのカバーが、ハウジングに取り付けられるようになっている（例えば、特許文献１を参照。）。
【先行技術文献】
【特許文献】
【０００４】
【特許文献１】特開２００３−１２３９１８号公報
【発明の概要】
【発明が解決しようとする課題】
【０００５】
上述した従来のジョイントコネクタでは、実際には、複数の電線に取り付けられた端子が相手側コネクタに収容され、その相手側コネクタをジョイントコネクタに嵌合することにより、電線とバスバとが接続されることになる。そのため、相手側コネクタを構成するハウジングや複数の電線の各々に取り付けられる端子などが必要となり、それらハウジング及び複数の端子の製造などにコストを要する。また、相手側ハウジングに複数の電線を一つ一つ組み付ける工程（いわゆる後嵌め）が必要となり、最終的に複数の電線を接続するまでの作業が煩雑となる。
【０００６】
本発明は、上述した事情に鑑みてなされたものであり、その目的は、低コスト且つ複数の電線を接続する作業の作業性に優れたジョイントコネクタ、及び、電線の接続構造、を提供することにある。
【課題を解決するための手段】
【０００７】
前述した目的を達成するために、本発明に係る「ジョイントコネクタ」及び「電線の接続構造」は、下記［１］〜［４］を特徴としている。
［１］
複数の電線同士をバスバを介して接続するジョイントコネクタであって、
前記バスバと、前記バスバを収容するハウジングと、を備え、
前記バスバは、
前記複数の前記電線から延びる複数の導体芯線を直接的に接合可能な接合面を有し、
前記ハウジングは、
前記接合面が当該ハウジングの外部に露出するように前記バスバを収容する、
ジョイントコネクタであること。
［２］
上記［１］に記載のジョイントコネクタにおいて、
前記ハウジングは、
前記複数の前記電線を前記接合面上の所定位置に配置した状態にて前記複数の前記電線を保持する一又は複数の保持部を有する、
ジョイントコネクタであること。
［３］
上記［１］又は上記［２］に記載のジョイントコネクタにおいて、
前記ハウジングは、
複数の前記バスバを電気的に分離した状態で収容するための区分壁を有する、
ジョイントコネクタであること。
［４］
複数の電線と、上記［１］〜上記［３］の何れか一つに記載のジョイントコネクタと、を備える、電線の接続構造であって、
前記複数の前記電線から延びる複数の導体芯線が、前記ジョイントコネクタに収容されたバスバが有する接合面に直接的に接合される、
電線の接続構造であること。
【０００８】
上記［１］の構成のジョイントコネクタによれば、バスバに設けられた接合面に、複数の電線から延びる複数の導体芯線が直接的に接合される。例えば、溶接、溶着、及び、ハンダ付け等により、直接的な接合を実現できる。よって、上述した従来のジョイントコネクタのように、相手側コネクタや端子などを要することなく、複数の電線を接続できる。更に、バスバの接合面がハウジングの外部に露出しているため、溶接などの直接的な接合を行う工程が容易である。例えば、ハウジングの外部から溶接用の電極を導体芯線に容易に押し付けることができる。よって、本構成のジョイントコネクタは、低コスト且つ複数の電線を接続する作業の作業性に優れる。
【０００９】
上記［２］の構成のジョイントコネクタによれば、ハウジングに設けられた保持部により、複数の電線が保持されるとともに、複数の導体芯線が接合面上の所定位置に配置される。よって、複数の導体芯線を溶接などによって接合面に接合する工程を容易にできる。よって、複数の電線を接続する作業の作業性を更に向上できる。
【００１０】
上記［３］の構成のジョイントコネクタによれば、ハウジングに複数のバスバを収容し、複数の電線を種々様々な回路形態を実現するように接続できる。よって、ジョイントコネクタとしての性能を向上できる。
【００１１】
上記［４］の構成の電線の接続構造によれば、上記［１］〜上記［３］と同様、低コストで複数の電線を接続でき、その接続のための作業の作業性に優れる。
【発明の効果】
【００１２】
本発明によれば、低コスト且つ複数の電線を接続する作業の作業性に優れたジョイントコネクタ、及び、電線の接続構造を提供できる。
【００１３】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１４】
【図１】図１は、本発明の実施形態に係る電線の接続構造に含まれる電線サブアッセンブリの分解斜視図である。
【図２】図２は、本発明の実施形態に係る電線の接続構造の分解斜視図である。
【図３】図３（ａ）は、本発明の実施形態に係る電線の接続構造の斜視図であり、図３（ｂ）は、図３（ａ）に示す電線の接続構造に対応する回路図である。
【図４】図４は、本発明の実施形態の変形例に係る電線の接続構造の分解斜視図である。
【図５】図５（ａ）は、本発明の実施形態の変形例に係る電線の接続構造の斜視図であり、図５（ｂ）は、図５（ａ）に示す電線の接続構造に対応する回路図である。
【発明を実施するための形態】
【００１５】
＜実施形態＞
以下、図面を参照しながら、本発明の実施形態に係るジョイントコネクタ２０及び電線の接続構造１について説明する。例えば、図３（ａ）に示す電線の接続構造１では、複数の電線１０同士がジョイントコネクタ２０を用いて導通接続（ジョイント接続）されている。換言すると、電線の接続構造１は、複数の電線１０と、ジョイントコネクタ２０と、を備える。
【００１６】
以下、説明の便宜上、各図に示すように、「前後方向」、「幅方向」、「上下方向」、「前」、「後」、「上」及び「下」を定義する。「前後方向」、「幅方向」及び「上下方向」は、互いに直交している。
【００１７】
電線１０は、図１に示すように、導体芯線１１と、導体芯線１１を覆う樹脂製の絶縁被覆１２とで構成された断面円形の電線である。本例では、５本の電線１０が、樹脂製のホルダ１３を用いて一体に保持されるようになっている。
【００１８】
具体的には、ホルダ１３は、幅方向に延びる矩形平板状の形状を有する。ホルダ１３の上面には、前後方向に貫通し且つ上方に開口する断面Ｕ字状の５つの溝１４が、幅方向に等間隔で並ぶように形成されている。図１に示すように、後端部の所定長さ分だけ絶縁被覆１２が除去されて導体芯線１１が露出した５本の電線１０（における絶縁被覆１２で覆われた部分の後端部）が、ホルダ１３の５つの溝１４にそれぞれ収容される。
【００１９】
これにより、図２に示すように、５本の露出した導体芯線１１がホルダ１３から後方に突出した状態で、５本の電線１０が、ホルダ１３により、幅方向に等間隔で一列に並ぶように一体に保持される。以下、説明の便宜上、このように、ホルダ１３により一体に保持された５本の電線１０を「電線サブアッセンブリ」と呼ぶこともある。なお、電線１０の後端部の絶縁被覆１２を除去する処理（いわゆる皮むき処理）は、上述のように、電線１０をホルダ１３に保持する前に行ってもよいし、電線１０をホルダ１３に保持した後に行ってもよい。
【００２０】
ジョイントコネクタ２０は、図２に示すように、ハウジング３０と、ハウジング３０に収容されたバスバ４０と、を備える。
【００２１】
樹脂製のハウジング３０は、前後方向に延びる一対の平板状の側壁と、一対の側壁の後端部同士を一体に連結するように幅方向に延びる平板状の後壁と、で構成されたＵ字状の枠体部３１を有する。枠体部３１における一対の側壁の前端部同士は、幅方向に延びる平板状の保持部３２により一体に連結されている。枠体部３１における一対の側壁の前後方向中央部同士は、幅方向に延びる平板状の保持部３３により一体に連結されている。
【００２２】
保持部３２及び保持部３３の間には、保持部３２，３３、並びに、枠体部３１の一対の側壁により囲まれた、上下方向に貫通する矩形状の中空空間Ｓが形成されている。この中空空間Ｓには、後述するように、ホルダ１３が嵌め込まれることになる。
【００２３】
保持部３２，３３の各々の上端面及び下端面には、ホルダ１３の５つの溝１４と同様の態様で、前後方向に貫通し且つ上方及び下方に開口する断面Ｕ字状の５つの溝３４が、幅方向に等間隔で並ぶように形成されている。保持部３２及び保持部３３は同形である。
【００２４】
バスバ４０は、本例では、矩形平板状の金属板である。バスバ４０は、インサート成形により、ハウジング３０における保持部３３並びに枠体部３１の一対の側壁及び後壁により囲まれた矩形状の枠状部に嵌め込まれるように、ハウジング３０に一体化されている。このため、バスバ４０の上面及び下面それぞれがハウジング３０の外部に露出している。このバスバ４０の上面及び下面それぞれが、後述するように、電線１０の導体芯線１１を接合するための接合面４１として機能することになる。
【００２５】
次いで、図２を参照しながら、電線の接続構造１の組み付けについて説明する。図２に示す例では、１つのジョイントコネクタ２０と、２つの電線サブアッセンブリが準備される。先ず、一方の電線サブアッセンブリが、上方から、ジョイントコネクタ２０に組み付けられる。このとき、ホルダ１３は、ジョイントコネクタ２０の中空空間Ｓに嵌め込まれる。また、５本の電線１０における絶縁被覆１２及び導体芯線１１は、それぞれ保持部３２及び保持部３３の対応する上側の溝３４に嵌め込まれる。また、５本の導体芯線１１は、バスバ４０の上側の接合面４１に載置される。
【００２６】
同様に、他方の電線サブアッセンブリが、表裏を逆にして、下方から、ジョイントコネクタ２０に組み付けられる。このとき、ホルダ１３は、ジョイントコネクタ２０の中空空間Ｓに嵌め込まれる。また、５本の電線１０における絶縁被覆１２及び導体芯線１１は、それぞれ保持部３２及び保持部３３の対応する下側の溝３４に嵌め込まれる。また、５本の導体芯線１１は、バスバ４０の下側の接合面４１に載置される。
【００２７】
この結果、合計１０本の電線１０が、保持部３２，３３により保持され、且つ、計１０本の導体芯線１１が上側及び下側の接合面４１上の所定位置に配置される。
【００２８】
次いで、バスバ４０の上側及び下側の接合面４１に載置されている計１０本の導体芯線１１が、溶接、溶着、及び、ハンダ付け等の手法により、対応する接合面４１に直接的にそれぞれ接合される。これにより、１つのジョイントコネクタ２０及び２つの電線サブアッセンブリからなる電線の接続構造１の組み付けが完了し、図３（ａ）に示す電線の接続構造１が得られる。
【００２９】
図３（ａ）に示す電線の接続構造１では、図３（ｂ）に示すように、計１０本の電線１０（導体芯線１１）同士が、ジョイントコネクタ２０に内蔵されたバスバ４０（接合面４１）により導通接続（ジョイント接続）されている。
【００３０】
以上、本発明の実施形態に係るジョイントコネクタ２０を含む電線の接続構造１によれば、バスバ４０に設けられた接合面４１に、複数の電線１０から延びる複数の導体芯線１１が直接的に接合される。例えば、溶接、溶着、及び、ハンダ付け等により、直接的な接合を実現できる。よって、上述した従来のジョイントコネクタのように、相手側コネクタや端子などを要することなく、複数の電線１０を導通接続できる。更に、バスバ４０の接合面４１がハウジング３０の外部に露出しているため、溶接などの直接的な接合を行う工程が容易である。よって、本構成のジョイントコネクタ２０を含む電線の接続構造１は、低コスト且つ複数の電線を接続する作業の作業性に優れる。
【００３１】
更に、ハウジング３０に設けられた保持部３２，３３により、複数の電線１０が保持されるとともに複数の導体芯線１１が接合面４１上の所定位置に配置される。よって、複数の導体芯線１１を溶接などによって接合面４１に接合する工程を容易にできる。よって、複数の電線１０を接続する作業の作業性を更に向上できる。
【００３２】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３３】
例えば、上記実施形態では、単一のバスバ４０を利用して、複数の電線１０全てが互いに導通接続されている（図２及び図３参照）。これに対し、互いに独立した複数のバスバを利用して、複数の電線１０が、複数のグループに電気的に分離され、グループ毎にそのグループに含まれる複数の電線１０が導通接続されていてもよい。
【００３４】
具体的には、図４及び図５に示す例では、図４に示すように、ハウジング３０における保持部３３並びに枠体部３１の一対の側壁及び後壁により囲まれた矩形状の１つの枠状部を幅方向に２つの枠状部に分割するように、前後方向に延びる区分壁３５が一体で設けられている。２つの枠状部のうち幅方向一側の枠状部にはバスバ４０ａが嵌め込まれ、２つの枠状部のうち幅方向他側の枠状部にはバスバ４０ｂが嵌め込まれている。換言すれば、区分壁３５を設けたことにより、バスバ４０ａ，４０ｂが電気的に分離した状態でハウジング３０に一体化されている。
【００３５】
バスバ４０ａは、幅方向に並ぶ３本の電線１０の幅寸法に対応する幅寸法を有し、バスバ４０ｂは、幅方向に並ぶ２本の電線１０の幅寸法に対応する幅寸法を有している。この結果、電線サブアッセンブリを上下方向からそれぞれジョイントコネクタ２０に組み付けて得られる図５（ａ）に示す電線の接続構造１では、図５（ｂ）に示すように、計１０本の電線１０（導体芯線１１）のうち、計６本の電線１０同士が、ジョイントコネクタ２０に内蔵されたバスバ４０ａ（接合面４１）により導通接続され、残りの計４本の電線１０同士が、ジョイントコネクタ２０に内蔵されたバスバ４０ｂ（接合面４１）により導通接続されている。
【００３６】
ここで、上述した本発明に係るジョイントコネクタ２０、及び、電線の接続構造１の実施形態の特徴をそれぞれ以下［１］〜［４］に簡潔に纏めて列記する。
［１］
複数の電線（１０）同士をバスバ（４０）を介して接続するジョイントコネクタ（２０）であって、
前記バスバ（４０）と、前記バスバ（４０）を収容するハウジング（３０）と、を備え、
前記バスバ（４０）は、
前記複数の前記電線（１０）から延びる複数の導体芯線（１１）を直接的に接合可能な接合面（４１）を有し、
前記ハウジング（３０）は、
前記接合面（４１）が当該ハウジング（３０）の外部に露出するように前記バスバ（４０）を収容する、
ジョイントコネクタ（２０）。
［２］
上記［１］に記載のジョイントコネクタ（２０）において、
前記ハウジング（３０）は、
前記複数の前記電線（１０）を前記接合面（４１）上の所定位置に配置した状態にて前記複数の前記電線（１０）を保持する一又は複数の保持部（３２，３３）を有する、
ジョイントコネクタ（２０）。
［３］
上記［１］又は上記［２］に記載のジョイントコネクタ（２０）において、
前記ハウジング（３０）は、
複数の前記バスバ（４０）を電気的に分離した状態で収容するための区分壁（３５）を有する、
ジョイントコネクタ（２０）。
［４］
複数の電線（１０）と、上記［１］〜上記［３］の何れか一つに記載のジョイントコネクタ（２０）と、を備える、電線の接続構造（１）であって、
前記複数の前記電線（１０）から延びる複数の導体芯線（１１）が、前記ジョイントコネクタ（２０）に収容されたバスバ（４０）が有する接合面（４１）に直接的に接合される、
電線の接続構造（１）。
【符号の説明】
【００３７】
１    電線の接続構造
１０  電線
１１  導体芯線
２０  ジョイントコネクタ
３０  ハウジング
３２  保持部
３３  保持部
３５  区分壁
４０  バスバ
４１  接合面
【図１】
2020155255.tif 000003
【図２】
2020155255.tif 000004
【図３】
2020155255.tif 000005
【図４】
2020155255.tif 000006
【図５】
2020155255.tif 000007